(57)【要約】【課題】不正使用の痕跡が明瞭となるトリガー式噴出器用ストッパ及びストッパ付きトリガー式噴出器を提供する。【解決手段】噴出器本体の後面から上方へ支持片を起立するとともにこの支持片の先端側の枢着部からトリガーを前方突出してなるトリガー式噴出器に適用されるストッパであって、側方から見て上下方向の両側に前記トリガーへの突き当て用端部３６及び前記支持片へ回転自在に軸支可能な係止用基部３８とをそれぞれ有し、前記突き当て用端部３６が後方へ移動可能に形成したストッパ本体２２と、ストッパ本体２２から破断線Ａを介して後方へ突設され、突出方向の先部４０ｂ側に支持片への当接面Ｓを有するロック片４０とを具備する。【選択図】図１
2019119462.tif 000002
【特許請求の範囲】
【請求項１】
噴出器本体の後面から上方へ支持片を起立するとともにこの支持片の先端側の枢着部からトリガーを前方突出してなるトリガー式噴出器に適用されるストッパであって、
側方から見て上下方向の両側に前記トリガーへの突き当て用端部(３６)と前記支持片へ回転自在に軸支可能な係止用基部(３８)とをそれぞれ有し、前記突き当て用端部３６が後方へ移動可能に形成したストッパ本体(２２)と、
ストッパ本体(２２)から破断線(Ａ)を介して後方へ突設され、突出方向の先部(４０ｂ)側に支持片への当接面(Ｓ)を有するロック片(４０)と、
を具備することを特徴とするトリガー式噴出器用ストッパ。
【請求項２】
前記ロック片(４０)は、破断線(Ａ)より後方へ延びる垂直板部(４２)を有し、この垂直板部(４２)の突出方向の先端に沿って、左右方向外方へ突出する補強板部(４４)が形成され、この補強板部(４４)の後面を前記当接面(Ｓ)としたことを特徴とする、請求項１記載のトリガー式噴出器用ストッパ。
【請求項３】
噴出器本体(２)と、
噴出器本体(２)の後面から起立される支持片(１０)と、
支持片(１０)の先端側の枢着部(１６)に枢着され、この枢着部(１６)から前方へ延びるトリガー(１８)と、
前記支持片(１０)及びトリガー(１８)の間に配置されたストッパ(２０)とを具備し、
当該ストッパ(２０)は、
上下方向の両側に、前記トリガー(１８)への突き当て用端部(３６)と支持片(１０)へ回転自在に軸支させた係止用基部(３８)とをそれぞれ有し、この係止用基部(３８)を中心に後方へ回動させることが可能なストッパ本体(２２)と、
ストッパ本体(２２)から破断線(Ａ)を介して後方へ突設され、突出方向の先部(４０ｂ)側に支持片(１０)への当接面(Ｓ)を有するロック片(４０)と、
を備える、ストッパ付きトリガー式噴出器。
【請求項４】
前記ロック片(４０)は、ストッパ本体(２２)が有する左右一対の側部(３０)の一方から後方へ突出しており、
前記側部(３０)は、上方から見て支持片(１０)よりも左右方向外側に位置しており、ロック片(４０)を左右方向内側へ押し込み傾斜させることにより、前記先部(４０ｂ)の当接面(Ｓ)が支持片(１０)に係止するように設けられたことを特徴とする、請求項３に記載のトリガー式噴出器。
【発明の詳細な説明】
【技術分野】
【０００１】
本発明は、トリガー式噴出器用ストッパ及びストッパ付きトリガー式噴出器に関する。
【背景技術】
【０００２】
この種のトリガー式噴出器として、噴出器本体の後面から上方へ支持片を起立するとともにこの支持片の先端側の枢着部からトリガーを前方突出し、支持片の基部とトリガーの間に、前記基部に下端を回転可能に軸支するとともにトリガーの下辺に先端を突き当てたストッパを設け、前記下端を中心としてストッパを後方へ回転させることにより、前記トリガーへの突き当てを解除し、トリガーの操作が可能となるものが知られている（特許文献１）。
【先行技術文献】
【特許文献】
【０００３】
【特許文献１】特開２００９−１３１８１３
【発明の概要】
【発明が解決しようとする課題】
【０００４】
特許文献１のトリガー噴出器は、商品の流通段階でストッパを後方へ回転させ、トリガーを操作して容器体内の内容物を不正に取り出した後に、ストッパを元に戻すと、不正使用の痕跡が残らず、それを知らない需要者が商品を購入してしまうおそれがあった。
また商品の輸送時や消費者が買い物袋で商品を運んでいる間に、不意にストッパが外れ、他物との接触などによりトリガーが意図せずに動き、内容物が漏れてしまう可能性もある。
このため、ストッパが動かないようにシール材を貼付したり、シュリンクフィルムで覆う等というような別工程を設けることがあった。
【０００５】
本発明の第１の目的は、簡単な構造で、不正使用の痕跡が明瞭となり、不正使用を抑制することができるトリガー式噴出器用ストッパ及びストッパ付きトリガー式噴出器を提供することである。
本発明の第２の目的は、簡単な構造で、ストッパが不意に外れてしまうことを防止できるトリガー式噴出器用ストッパ及びストッパ付きトリガー式噴出器を提供することである。
【課題を解決するための手段】
【０００６】
第１の手段は、トリガー式噴出器用ストッパであり、
噴出器本体の後面から上方へ支持片を起立するとともにこの支持片の先端側の枢着部からトリガーを前方突出してなるトリガー式噴出器に適用されるストッパであって、
側方から見て上下方向の両側に前記トリガーへの突き当て用端部３６と前記支持片へ回転自在に軸支可能な係止用基部３８とをそれぞれ有し、前記突き当て用端部３６が後方へ移動可能に形成したストッパ本体２２と、
ストッパ本体２２から破断線Ａを介して後方へ突設され、突出方向の先部４０ｂ側に支持片への当接面Ｓを有するロック片４０と、
を具備する。
【０００７】
本手段では、図１に示すように、ストッパ本体２２から破断線Ａを介してロック片４０を後方へ突設し、このロック片４０の突出方向の先部４０ｂ側に支持片１０への当接面Ｓを形成した。これにより、ロック片４０を除去しない限り、ストッパ本体２２を動かして、トリガー操作をすることができない。商品の流通段階でそれを不正に行うと、破断線Ａが損傷したり、ロック片４０がなくなることで不正行為の痕跡が明瞭となるため、不正行為を抑制する効果を生ずる。また商品の購入者の側からは、ロック片４０がある商品を選ぶことにより、未使用の商品であることが保証されるため、バージン機能が発揮される。
【０００８】
第２の手段は、第１の手段を有し、かつ
前記ロック片４０は、破断線Ａより後方へ延びる垂直板部４２を有し、この垂直板部４２の突出方向の先端に沿って、左右方向外方へ突出する補強板部４４が形成され、この補強板部４４の後面を前記当接面Ｓとした。
【０００９】
本手段では、図２に示すように、ロック片４０が破断線Ａより後方へ延びる垂直板部４２を有し、この垂直板部４２の突出方向の先端に沿って、左右方向外方へ突出する補強板部４４が形成され、この補強板部４４の後面を前記当接面Ｓとしている。これにより、ロック片４０の強度が増し、ロック機能が向上する。
【００１０】
第３の手段は、ストッパ付きトリガー式噴出器であり、
噴出器本体２と、
噴出器本体２の後面から起立される支持片１０と、
支持片１０の先端側の枢着部１６に枢着され、この枢着部１６から前方へ延びるトリガー１８と、
前記支持片１０及びトリガー１８との間に配置されたストッパ２０とを具備し、
当該ストッパ２０は、
上下方向の両側に、前記トリガー１８への突き当て用端部３６と支持片１０へ回転自在に軸支させた係止用基部３８とをそれぞれ有し、この係止用基部３８を中心に後方へ回動させることが可能なストッパ本体２２と、
ストッパ本体２２から破断線Ａを介して後方へ突設され、突出方向の先部４０ｂ側に支持片１０への当接面Ｓを有するロック片４０と、
を備える。
【００１１】
本手段では、第１の手段で開示したストッパを組み込んだトリガー式噴出器を提案している。第１の手段で述べたことは本手段に援用する。
【００１２】
第４の手段は、第３の手段を有し、かつ
前記ロック片４０は、ストッパ本体２２が有する左右一対の側部３０の一方から後方へ突出しており、
前記側部３０は、上方から見て支持片１０よりも左右方向外側に位置しており、ロック片４０を左右方向内側へ押し込み傾斜させることにより、前記先部４０ｂの当接面Ｓが支持片１０に係止するように設けられた。
【００１３】
本手段では、図３に示すように、前記ストッパ２０のロック片４０は、ストッパ本体２２が有する左右一対の側部３０の一方から後方へ突出している。またこのストッパを噴出器本体２に取り付けたときに、ストッパ２０の側部３０が上方から見て支持片１０よりも左右方向外側に位置する。そして図５に示すように、ロック片４０を左右方向内側へ押し込むことにより、前記先部４０ｂの当接面Ｓが支持片１０に係止するようにしている。従って簡単な操作でロック状態が実現できる。
【発明の効果】
【００１４】
第１の手段及び第３の手段に係る発明によれば、ストッパ本体２２から破断線Ａを介して後方へ突設され、突出方向の先部４０ｂに支持片への当接面Ｓを有するロック片４０を設けたから、破断線Ａを破断してロック片４０を除去しないとストッパ本体２２を動かすことができず、不正に使用されたときにその痕跡が明瞭となる。
第２の手段に係る発明によれば、前記ロック片４０は、破断線Ａより後方へ延びる垂直板部４２の先端に沿って、左右方向外方へ延びる補強板部４４を付設し、この補強板部４４の後面を支持片１０への当接面Ｓとしたから、ロック片４０として十分な強度が得られる。
第４の手段に係る発明によれば、ロック片４０を左右方向内側へ押し込むことにより、前記先部４０ｂの当接面Ｓが支持片１０の枢着部１６寄りの部分に係止するから、容易にロック状態とすることができる。
【図面の簡単な説明】
【００１５】
【図１】本発明の実施形態に係るトリガー式噴出器の側面図である。
【図２】図１に示すトリガー式噴出器の構成からトリガーを省略してＩＩ−ＩＩ方向に見た断面図である。
【図３】図１に示すトリガー式噴出器に使用されるストッパの平面図である。
【図４】図３に示すストッパの側面図である。
【図５】図１に示すトリガー式噴出器のストッパのロック片を左右方向内側へ押し込んだ状態の説明図である。
【図６】図５の状態からロック片を除去してストッパ本体を動かした状態を示す説明図である。
【発明を実施するための最良の形態】
【００１６】
図１から図６は、本発明の実施形態に係るトリガー式噴出器を示している。このトリガー式噴出器は、噴出器本体２と、支持片１０と、トリガー１８と、ストッパ２０とを有する。これら各要素は例えば合成樹脂等で形成することができる。なお、支持片１０は、噴出器本体２の一パーツである装着キャップ８と一体であるが、説明の都合上、別個に解説する。
【００１７】
噴出器本体２は、従来公知の構成であり、簡単に説明すると、シリンダ４と、作動部材６と、装着キャップ８とを具備する。
装着キャップ８は、容器体１００の口頸部へ嵌合可能な装着筒部８ａを有し、この装着筒部８ａの上端から内向きフランジ８ｂを介して起立筒部８ｃを起立し、さらにこの起立筒部８ｃからガイド筒部８ｄを上方へ延長している。なお、本実施形態では、装着筒部８ａ及び内向きフランジ８ｂからなるパーツと、起立筒部８ｃ及びガイド筒部８ｄからなるパーツが別パーツとして形成されているが、これらは一体に形成してもよい。
前記シリンダ４は、前記内向きフランジ８ｂと容器体の口頸部の間に挟持する鍔部（図示せず）を有するものとすることができる。
前記作動部材６は、シリンダ４内に昇降自在かつ上方付勢状態で下部を挿入するとともに、前面開口のノズル６ｂを有する上部を起立させており、シリンダ４に対する昇降により、容器体内の液体を第１逆止弁を介してシリンダ内へ吸込み、かつシリンダ内から第２逆止弁を介してノズル６ｂより外方へ吐出するように構成している。図示例では、作動部材６の上部は、起立筒部８ｃ及びガイド筒部８ｄを挿通させたステム６ａよりノズル６ｂを前方突設させてなる。
なお、本明細書では、ノズル６ｂの開口方向を前方と、開孔方向と反対側を後方と、前後方向に対して直交する方向を左右方向というものとする。
【００１８】
支持片１０は、図１に示す如く、前記装着キャップ８の起立筒部８ｃ及びガイド筒部８ｄの後面側から上後方へ起立している。図示例の支持片１０は、後壁部１１から左右一対の側壁部１２を前方へ突出する断面Ｕ字形に形成されている。支持片１０の基端１０ａ側では、前記一対の側壁部１２の上端をそれぞれ切り欠いて軸受凹部１４を形成している。また支持片１０の先端１０ｂ側では、後述のトリガー１８との枢着部１６が形成されている。さらに支持片１０の側壁部１２の外面には、後述のストッパ本体２２の下部後縁と係止する係止突起１５を形成している。
【００１９】
トリガー１８は、前記枢着部１６から前方へ突出しており、さらに先端側で前下方へ延びるように形成されている。図示例のトリガーは、上板部１８ａの両端から左右一対の側板部１８ｂを垂下するとともに、前記上板部にノズル挿通孔を開口してなる。前記側板部内には、前記ステム６ａの上端部の両側に枢着軸（図示せず）を介して枢着しており、トリガー１８を下方へ引くことで作動部材６が下降するように形成している。また前記側板部１８ｂの下端には後述の突き当て用端部３６と係合する係合凹部１９が形成されている。
【００２０】
ストッパ２０は、ストッパ本体２２とロック片４０とで形成されている。
【００２１】
ストッパ本体２２は、側方から見て縦長の部材であり、図３に示す左右一対の両側部３０の上部を中間壁部２４で連結させてなる。中間壁部２４の前面には、ステム６ａの後面に当接する係合受面２８が形成されている。図示例では、中間壁部２４の前面左右両側からは、前記ステム６ａを挟持する左右一対の挟持片２６を突出しており、これら両挟持片２６の間には、ステム６ａの後面にフィットする係合受面２８が形成されている。
本実施形態では、ストッパ本体２２（本実施形態については挟持片２６）は、ガイド筒８ｄとトリガー１８の下辺とで挟持され、トリガーの回動（作動部材の下降）を防止している。
図示例では、左右一対の平行な側板部３２の上部を前記中間壁部２４で連結するとともに、各側板部３２の外面から操作用アーム３４をそれぞれ突設している。前記各側部３０は、側板部３２と操作アーム３４とで形成されている。
なお、ストッパ本体２２の下部は、支持片１０の基端１０ａ側とかみ合わせるようにして、ロック片４０を左右方向外方へ引き出したときに、ストッパ２０が支持片１０とトリガー１８との間から引き出されることを防止するようにすることが望ましい。図示例では、前記側板部３２の下端部は、支持片１０の側壁部１２に左右方向から当接又は近接させることにより、前述ストッパ本体２２と支持片１０の基部とのかみ合いを可能としている。
操作アーム３４は、図３に示す如く、各側板部３２の外面から左右方向外方へ突出する連結壁部３４ａと、この連結壁部３４ａの外端に付設された把持部３４ｂとで形成されている。前記連結壁部３４ａの上端面には、前記トリガー１８への突き当て用端部３６である突起部が形成されている。図示の突起部は左右方向に長いリブとして形成されているが、その構造は適宜変更することができる。
ストッパ本体２２の下部には、図４に示す如く、支持片１０の基端１０ａへの係止用基部３８が形成されている。図示例では、前記左右一対の側板部３２の下部の間に、係止用基部３８である回転軸を架設しており（図３参照）、この回転軸を前記トリガー１８の軸受凹部１４内に軸支させている。もっともこの構造は適宜変更することができる。ストッパ本体２２は、図６に想像線で示す如く、前記回転軸を中心にして、後方へ倒すように回転させることにより、前記突き当て用端部３６がトリガー１８の下辺より離脱し、トリガー１８が枢着部１６を中心として回動可能となる。
【００２２】
ロック片４０は、前記ストッパ本体２２の回転を規制する機能を有し、前記ストッパ本体２２から破断線Ａを介して後方突出するとともに、その先部４０ｂ側に支持片１０への当接面Ｓを有する。図示例の当接面Ｓは、支持片１０の枢着部１６寄りの部分に当接している。ロック片４０は、少なくともストッパ本体２２の左右一対の側部３０の一方に設ければよいが、両側部にそれぞれ設けても構わない。
本実施形態のロック片４０は、前記左右一対の側板部３２から破断線Ａを介して突出されている。もっともストッパ本体２２の両側部にそれぞれロック片４０を設けても構わない。側板部３２は、図２に示す如く、支持片１０よりも左右方向外側に位置しているため、図２に示す初期状態では、ロック片４０の先部４０ｂは、支持片１０と係合していない自由端となっている。この状態から、図５に矢示する如く、ロック片４０を左右方向内方へ押し込むことで、ロック片４０の当接面Ｓが支持片１０に係合し、ロック状態となる。
図示例では、ロック片４０は、図１に示す如く支持片１０及びトリガー１８の輪郭に対応して、側面視において、その基部４０ａ側から先部４０ｂ側に向かって上下方向に徐々に幅狭となる形状としているが、その形状は適宜変更することができる。
また図示のロック片４０は、ストッパ本体２２から破断線Ａを介して後方突出する垂直板部４２を有し、かつこの垂直板部４２の突出方向の端縁に沿って、左右方向外方へ延びる補強板部４４を突設してなり、この補強板部４４の後面を支持片１０への当接面Ｓにしている。このロック片４０は、図５に示す押込み状態において、支持片１０の側壁部１２の内面にアンダーカット嵌合される。図示例では、前記側壁部１２の内面の上端部に被係合用段部１３を形成し、かつ垂直板部４２の端面または当接面Ｓに、前記被係合用段部１３に係合する係合用リブ４６を形成している。もっともこれらの構成は適宜変更することができる。
さらに図示例では、ロック片４０の先部から摘み部４８を後方突出している。
【００２３】
前記構成において、この本発明のトリガー式噴出器を容器体に組み付けるときには、従来のセット工程と同様の手順に従い、噴出器本体２にストッパ２０を取り付けた後に、トリガー１８を操作して噴霧試験を行う。そして最後に前述の如くロック片４０を左右方向に内方へ押し込めばよい。従ってセット作業が従来よりも複雑となることはない。前記内方押込みをした後にはトリガー操作ができなくなるので、この状態で商品の流通過程に載せるとよい。
前記ロック片４０は、トリガー式噴出器の上部という目立つ場所にあるため、消費者がロック片４０の有無により、未使用の商品と不正使用があった商品とを一見して見分けることが可能であるため、バージン機能が発揮される。
またロック片が押し込まれた状態では、商品の流通時や需要者が商品を買い物袋内で運んでいるときに、トリガー式噴出器に対して不意に外力（特に前方からの外力）が作用してもストッパが離脱することがない。
トリガー式噴出器を使用する際には、前記摘み部４８を左右方向外方へ引けばよい。これにより、前記破断線Ａが破断して、ロック片４０のみを取り除くことができる。
しかる後、操作アーム３４の把持部３４ｂを把持して、図６に想像線で示すように、回転軸である係止用基部３８を中心として、ストッパ本体２２を後方へ回転させ、突き当て用端部３６を係合凹部１９から離脱させる。これにより、枢着部１６を中心とするトリガー１８の回動が可能となり、トリガー操作が可能となる。
【符号の説明】
【００２４】
２…噴出器本体  ４…シリンダ  ６…作動部材  ６ａ…ステム  ６ｂ…ノズル
８…装着キャップ  ８ａ…装着筒部  ８ｂ…内向きフランジ  ８ｃ…起立筒部
８ｄ…ガイド筒部
１０…支持片  １０ａ…基端  １０ｂ…先端  １１…後壁部  １２…側壁部
１３…被係合用段部
１４…軸受凹部  １５…係止突起  １６…枢着部
１８…トリガー  １８ａ…上板部  １８ｂ…側板部  １９…係合凹部
２０…ストッパ  ２２…ストッパ本体  ２４…中間壁部  ２６…挟持片
２８…係合受面  ３０…側部  ３２…側板部
３４…操作用アーム  ３４ａ…連結壁部  ３４ｂ…把持部
３６…突き当て用端部  ３８…係止用基部（回転軸）
４０…ロック片  ４０ａ…基部  ４０ｂ…先部  ４２…垂直板部  ４４…補強板部
４６…係合用リブ  ４８…摘み部
１００…容器体
Ａ…破断線  Ｓ…当接面
【図１】
2019119462.tif 000003
【図２】
2019119462.tif 000004
【図３】
2019119462.tif 000005
【図４】
2019119462.tif 000006
【図５】
2019119462.tif 000007
【図６】
2019119462.tif 000008